(57)【要約】【課題】構成が簡単なディスクカメラレコーダを提供する。【解決手段】ディスク処理部２００は、仮想円Ｐに略沿って円弧状に形成された長手状のアーム本体４１と、このアーム本体４１の一端部に回動自在に設けられて、先端部に光ディスク１の外周縁に当接するガイドローラ４２３を有したガイドアーム４２と、アーム本体４１の他端部に回動自在に設けられて、先端部に光ディスク１の外周縁に当接するイジェクトローラ４３３を有したイジェクトアーム４３と、を有する搬送アーム４０と、この搬送アーム４０の駆動範囲Ｍ内に光ディスク１を抱え込んだ状態で、搬送アーム４０を回転移動させる駆動ギア６０および駆動モータを備えた。【選択図】図２
2007188557.tif 000002
【特許請求の範囲】
【請求項１】
ディスク状の記録媒体の外周縁に略沿って長手状に湾曲形成された本体部と、
長手状に形成され、一端部が前記本体部の両端側にそれぞれ揺動自在に設けられるとともに、他端部に前記記録媒体の外周縁に当接可能な当接部を備えたアーム部と、
前記本体部に設けられる２つの前記アーム部の前記当接部がともに前記記録媒体の周縁部に当接し、これらの当接部、前記アーム部、および前記本体部にて囲われる駆動範囲に前記記録媒体の半円以上が抱え込まれた状態で、前記本体部を移動させて前記記録媒体を搬送する移動手段と、
を具備したことを特徴とした搬送装置。
【請求項２】
請求項１に記載の搬送装置であって、
前記移動手段は、前記駆動範囲内にて前記記録媒体の半円以上が抱え込まれた際に、前記本体部を長手方向に沿う円弧延長線上を移動させる
ことを特徴とした搬送装置。
【請求項３】
請求項１または請求項２に記載の搬送装置であって、
前記本体部の一端部に設けられた一方の前記アーム部の略延長上に、前記記録媒体の外周縁と当接可能に設けられるとともに、前記記録媒体の搬送を案内する案内部を備え、
前記移動手段は、前記一方のアーム部の当接部を前記案内部に向かう方向に移動させる
ことを特徴とした搬送装置。
【請求項４】
請求項３に記載の搬送装置であって、
前記案内部は、前記記録媒体に記録された情報の再生処理および前記記録媒体に情報を記録する記録処理の少なくともいずれか一方の処理を実施する情報処理部を収容する筐体に設けられ、前記記録媒体が挿排される挿排口の近傍で、かつ前記一方のアーム部の略延長上に設けられた
ことを特徴とした搬送装置。
【請求項５】
請求項１ないし請求項４のいずれかに記載の搬送装置であって、
前記当接部を前記円弧軌跡上に略沿って移動させる移動制御溝を備えた
ことを特徴とした搬送装置。
【請求項６】
請求項５に記載の搬送装置であって、
前記移動制御溝は、前記当接部を前記記録媒体の外周縁から離隔させる離隔部を備え、
前記移動手段は、前記記録媒体が前記駆動範囲内に移動され、前記記録媒体を保持する保持部にて保持された状態において、前記本体部を移動させて前記当接部を前記離隔部に係合させる
ことを特徴とした搬送装置。
【請求項７】
請求項１ないし請求項６のいずれかに記載の搬送装置であって、
前記本体部は、前記記録媒体に記録された情報の再生処理および前記記録媒体に情報を記録する記録処理の少なくともいずれか一方の処理を実施する情報処理部を収容する筐体に設けられ、前記記録媒体が挿排される挿排口を閉塞する閉塞部を備え、
前記本体部は、前記移動手段により、前記挿排口近傍に移動される
ことを特徴とした搬送装置。
【請求項８】
請求項１ないし請求項７のいずれかに記載の搬送装置であって、
前記本体部は、内周端縁に沿ってラックが形成され、
前記移動手段は、前記ラックに係合されるピニオンを回転駆動させて前記本体部を移動させる
ことを特徴とした搬送装置。
【請求項９】
請求項１ないし請求項８のいずれかに記載の搬送装置であって、
前記当接部は、回転軸を中心に回転可能なローラである
ことを特徴とした搬送装置。
【請求項１０】
請求項１ないし請求項９のいずれかに記載の搬送装置と、
前記搬送装置にて搬送された前記記録媒体を保持する保持部、および前記保持部にて保持された前記記録媒体の情報を再生する再生処理および前記記録媒体に情報を記録する記録処理のうち少なくともいずれか一方の処理を実施する情報処理部を備えたディスク情報処理部と、
前記搬送装置、および前記ディスク情報処理部を内部に収納し、前記記録媒体を挿排する挿排口が設けられた筐体と、
を具備したことを特徴としたディスク装置。
【請求項１１】
請求項１０に記載のディスク装置であって、
前記挿排口は、前記記録媒体の外周縁に沿った円弧状に形成された
ことを特徴としたディスク装置。
【発明の詳細な説明】
【技術分野】
【０００１】
本発明は、ディスク状の記録媒体を搬送する搬送装置、およびこの搬送装置を備えたディスク装置に関する。
【背景技術】
【０００２】
従来、ディスク状の記録媒体を内部に収納するディスク装置が知られている。（例えば、特許文献１参照）。
【０００３】
この特許文献１に記載のものは、移送ローラによりディスクを搬送し、位置決め機構によりディスクをターンテーブル上方に位置決めするディスク再生装置である。この位置決め機構は、支点ピンで回動可能に枢支されて互いに交差する左右の位置決めレバーと、これらの位置決めレバーに設けられる係合孔に係合する支点ピンを有して、ソレノイドにより回動する切換レバーとにより構成されている。また、このディスク再生装置のディスク挿入口の近傍には、中央センサ、および中央センサの左右に設けられる左右センサ、外側センサが設けられ、これらのセンサによりディスク挿入口から挿入されたディスクの径を判別する。そして、センサにより大径のディスクの挿入が確認されると、切換レバーを回転させて位置決めピンがもっとも開いた位置となるように左右の位置決めレバーを回動させ、小径のディスクの挿入が確認されると、位置決めピンが最も近寄った位置となるように左右の位置決めレバーを回動させる構成が採られている。
【０００４】
【特許文献１】特開平０２−１１８９５５号公報（第３頁ないし第５頁、図１ないし図７参照）
【発明の開示】
【発明が解決しようとする課題】
【０００５】
ところで、特許文献１に記載のものは、移送ローラによりディスクを搬送して、ソレノイドにより左右の位置決めレバーを回動させてディスクを装置内部の所定位置に位置決めしている。しかしながら、このような構成では、ディスクをディスク装置内部に搬送するために、移動ローラやソレノイド、左右の位置決めレバーなどの複数の部材が必要であり、構成が複雑になるという問題が一例として挙げられる。
【０００６】
本発明は、上記のような問題に鑑み、構成が簡単な搬送装置、およびディスク装置を提供することを１つの目的とする。
【課題を解決するための手段】
【０００７】
請求項１に記載の発明は、ディスク状の記録媒体の外周縁に略沿って長手状に湾曲形成された本体部と、長手状に形成され、一端部が前記本体部の両端側にそれぞれ揺動自在に設けられるとともに、他端部に前記記録媒体の外周縁に当接可能な当接部を備えたアーム部と、前記本体部に設けられる２つの前記アーム部の前記当接部がともに前記記録媒体の周縁部に当接し、これらの当接部、前記アーム部、および前記本体部にて囲われる駆動範囲に前記記録媒体の半円以上が抱え込まれた状態で、前記本体部を移動させて前記記録媒体を搬送する移動手段と、を具備したことを特徴とした搬送装置である。
【０００８】
請求項１０に記載の発明は、請求項１ないし請求項９のいずれかに記載の搬送装置と、前記搬送装置にて搬送された前記記録媒体を保持する保持部、および前記保持部にて保持された前記記録媒体の情報を再生する再生処理および前記記録媒体に情報を記録する記録処理のうち少なくともいずれか一方の処理を実施する情報処理部を備えたディスク情報処理部と、前記搬送装置、および前記ディスク情報処理部を内部に収納し、前記記録媒体を挿排する挿排口が設けられた筐体と、を具備したことを特徴としたディスク装置である。
【発明を実施するための最良の形態】
【０００９】
以下、本発明における一実施の形態を図面に基づいて説明する。図１は、本発明に係る一実施の形態のディスクカメラレコーダの全体の概略を模式的に示す図である。図２は、ディスクカメラレコーダ内部のディスク設置部の内部構成を模式的に示す平面図である。図３は、アーム本体の概略構成を模式的に示す斜視図である。図４は、案内部材の概略構成を模式的に示す平面図である。なお、本実施の形態の説明に当たり、説明の都合上、各図面は簡略化した図面を用いている。
【００１０】
〔ディスクカメラレコーダの構成〕
図１において、１００は、本発明の一実施の形態に係るディスク装置としてのディスクカメラレコーダであり、このディスクカメラレコーダ１００は、動画情報、音声情報、画像情報などの各種情報を録画して光ディスク１に記憶したり、光ディスク１に記録された各種情報を再生したりする装置である。このディスクカメラレコーダ１００に利用できる光ディスク１としては、例えばＣＤ(Compact Disc)、ＤＶＤ(Digital Versatile Disc)、ＢＤ(Blu-ray Disc)などの各種ディスク状記録媒体が利用できる。このディスクカメラレコーダ１００は、図１に示すように、ケース体１０１と、撮影レンズ１１０と、撮影窓１２０と、マイク１３０と、コントローラ部１４０と、ディスク処理部２００と、図示しない小型ディスプレイと、ケース体１０１の内部に設けられる図示しない制御回路部と、などを備えている。
【００１１】
ケース体１０１は、内部空間を有する箱状に形成されている。このケース体１０１の各面には、それぞれ内部と外部とを連通する窓部が形成され、この窓部に臨んで前述した撮影レンズ１１０、撮影窓１２０、マイク１３０、コントローラ部１４０、およびディスク処理部２００が設けられている。また、ケース体１０１の天面には、例えばフラッシュ装置やストロボスコープなどの外部装置を装着可能な外部装置装着部が設けられている。さらに、ケース体１０１には、外部と接続が可能な図示しない外部端子部が設けられており、この外部端子部はケース体１０１内部に収納される制御回路部に電気的に接続されている。
【００１２】
撮影レンズ１１０は、ケース体１０１の前面の窓部に臨んで設けられている。この撮影レンズ１１０は、外部の画像光を取り込む。ここで取り込まれた画像光は、図示しない画像変換処理部にて画像信号に変換され、ケース体１０１内部の制御回路部に入力される。
【００１３】
撮影窓１２０は、ケース体１０１の背面の窓部に臨んで設けられている。この撮影窓１２０は、例えば光学的に撮影レンズ１１０に接続されており、この撮影窓１２０から撮影レンズ１１０に取り込まれる外部画像を確認することが可能となる。
【００１４】
マイク１３０は、ケース体１０１の天面に形成された窓部に設けられている。このマイク１３０は、外部の音声を取得して音声信号に変換し、制御回路部に出力する。
【００１５】
コントローラ部１４０は、例えばケース体１０１の天面、背面、および側面に配置される複数の操作ボタンを備えている。これらの操作ボタンはそれぞれケース体１０１内部の制御回路部に電気的に接続されており、これらの操作ボタンを操作することで所定の操作信号を制御回路部に出力する。この操作ボタンとしては、例えば、ディスクカメラレコーダ１００の電源に関する電源ボタン、撮影レンズ１１０から取り込まれた画像をディスクに記録させる旨の録画ボタン、動画と静止画とを切り換える切替ボタン、録画モードと再生モードを切り換えるモード切替ボタンなどが挙げられる。なお、コントローラ部１４０としては、これらの操作ボタンに限られず、レバーの移動方向により所定の操作信号を出力する操作レバーを設ける構成や、小型ディスプレイにタッチパネルを設ける構成としてもよい。
【００１６】
ディスク処理部２００は、ケース体１０１の一側面に設けられている。このディスク処理部２００は、ケース体１０１の一側面から突出するディスク設置部２１０を備えている。ディスク設置部２１０は、ケース体１０１の側面から立ち上がる立上部２１１と、立上部２１１に連続形成されるとともに、ケース体１０１の側面に対して略平行に設けられる外部カバー部２１２とを備えている。また、ディスク設置部２１０は、ケース体１０１の側面に対する平面視において、一部が湾曲上に切り欠かれた湾曲部２１３を備えて形成されており、この湾曲部２１３に連続形成される立上部２１１には、光ディスク１を挿通可能な挿排口としてのスリット２１４が開口形成されている。なお、ディスク処理部２００の内部構成については、後述する。
【００１７】
小型ディスプレイは、ケース体１０１のディスク処理部２００が設けられた側面とは反対側面に、ケース体１０１に対して回動可能に設けられている。この小型ディスプレイは、ケース体１０１内部の制御回路部に電気的に接続され、情報処理部から出力される各種画像情報を表示させる。
【００１８】
制御回路部は、ディスクカメラレコーダ１００全体の動作を制御する。すなわち、制御回路部は、コントローラ部１４０から入力される操作信号に基づいて、各種処理を実施する。この各種処理とは、例えば、画像変換部における撮影レンズ１１０から取り込まれた画像光を画像信号に変換する処理、小型ディスプレイから画像情報を出力させる処理、取り込まれた画像をディスク処理部に設置された光ディスクに録画させる録画処理、ディスク処理部に設置された光ディスクから情報を読み込む処理などが挙げられる。
【００１９】
（ディスク処理部の内部構成）
次にディスク処理部２００の内部構成について、図面に基づいて詳細に説明する。
【００２０】
図２において、ディスク処理部２００の内部には、いわゆるトラバースメカと称されるディスク情報処理部２０と、搬送装置としてのディスク搬送機構３０と、などが設けられている。また、このディスク処理部２００の内部には、ディスク状の記録媒体としての光ディスク１が搬送可能な搬送面が設けられており、この搬送面上に前記したスリット２１４が形成されている。なお、このディスク処理部２００の内部の説明にあたり、光ディスク１が搬送される搬送面に略平行する外部カバー部２１２側の面を外側面、搬送面に略平行して制御回路部などが設けられる本体側の面を本体側面と適宜称する。さらに、図２中において、湾曲部２１３に連続形成される上側の立上部２１１を第一立上部２１１Ａ、湾曲部２１３に連続形成される左側の立上部２１１を第二立上部２１１Ｂと適宜称する。
【００２１】
ディスク情報処理部２０は、ディスク処理部２００のスリット２１４近傍からディスク処理部２００の略中心位置に亘って長手に形成されている。このディスク情報処理部２０は、例えば金属板にて略板状に形成され、ディスク情報処理部２０の長手方向と略同一方向に長手となる台座部２１を有している。
【００２２】
この台座部２１は、例えば図示しないフロートゴムを介して本体側面に揺動可能に取り付けられている。また、台座部２１には、長手方向に沿って、長手状の処理開口部２１Ａが略中央に切欠形成されている。そして、台座部２１の処理開口部２１Ａの一端側、すなわちスリット２１４側には、ディスク回転駆動手段２２が配設されている。このディスク回転駆動手段２２は、図示しないスピンドルモータと、このスピンドルモータの出力軸に一体的に設けられた保持部としてのターンテーブル２３とを備えている。スピンドルモータは、制御回路部に電気的に接続され、制御回路部から供給される電力により駆動する。ターンテーブル２３は、スリット２１４からの距離が、光ディスク１の径寸法以上となる位置に、台座部２１よりも若干搬送面側に突出して設けられている。ここで、このターンテーブル２３の突出寸法は、搬送面および本体側面の間であり、光ディスク１の搬送途中において、ターンテーブル２３および搬送される光ディスク１が干渉しない位置に設けられている。
【００２３】
また、台座部２１には、情報処理部２４が配設されている。この情報処理部２４は、一対の図示しないガイドシャフト間に架橋する状態に支持されており、図示しない移動機構により処理開口部２１Ａ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップ機構を備えている。
【００２４】
ディスク搬送機構３０は、搬送アーム４０と、案内部材５０と、駆動ギア６０と、図示しない駆動モータと、を備えている。
【００２５】
搬送アーム４０は、光ディスク１の外周縁に沿った略円弧形状の本体部としてのアーム本体４１と、アーム部としてのガイドアーム４２と、アーム部としてのイジェクトアーム４３と、を備えている。そして、これらのアーム本体４１、ガイドアーム４２、およびイジェクトアーム４３により囲われる範囲にて本発明の駆動範囲Ｍが形成されている。
【００２６】
アーム本体４１は、ターンテーブル２３の中心位置から光ディスク１の径寸法と略同一寸法を径とした仮想円Ｐの円弧に沿った長手状に形成されている。このアーム本体４１は、光ディスク１の搬送面に平行する板状の基部４１１と、基部４１１の外周縁に沿って搬送面に向かって立ち上がる閉塞部としてのシャッター片４１２と、を備えている。
【００２７】
基部４１１は、図３に示すように、仮想円Ｐの中心に対向する内周縁に沿ってラック４１３が形成されている。このラック４１３には駆動ギア６０が噛合され、駆動ギア６０の回転により、基部４１１は仮想円Ｐの円周に沿って移動する。
【００２８】
また、基部４１１には、長手方向に沿って押出規制溝４１４が形成されている。この押出規制溝４１４は、搬送面と外側面とが連通する状態に形成され、外側面に設けられる押出規制ピン４１５が挿通されている。
【００２９】
さらに、図２において、基部４１１のアーム本体４１の反時計回り方向端部（図３におけるアーム本体４１の右側端部）には、ガイド軸支部４１１Ａが設けられ、時計回り方向端部（図３のおけるアーム本体４１の左側端部）には、イジェクト軸支部４１１Ｂが設けられている。ガイド軸支部４１１Ａには、ガイドアーム４２が回動自在に軸支されており、イジェクト軸支部４１１Ｂには、イジェクトアーム４３が回動自在に軸支されている。
【００３０】
シャッター片４１２は、前記したように、基部４１１の外周縁に沿って搬送面に向かって立ち上がって形成されている。このシャッター片４１２は、立上先端縁４１２Ａが、搬送面および本体側面との間に位置するように立上寸法が設定されている。より具体的には、シャッター片４１２は、ディスク情報処理部２０を搬送面側に揺動させてターンテーブル２３に光ディスク１を保持させるクランプ時において、台座部２１とシャッター片４１２の立上先端縁４１２Ａとが干渉しない立上寸法に形成されている。これにより、アーム本体４１を仮想円Ｐの円周に沿って移動させた際に、ディスク情報処理部２０の揺動を阻害することなく、シャッター片４１２にてスリット２１４を閉塞可能となる。
【００３１】
また、シャッター片４１２の略中心位置には、内周側に突出した押出アーム取付け部４１２Ｂが設けられており、この押出アーム取付け部４１２Ｂには、押出アーム４１６が回動自在に取り付けられている。
【００３２】
押出アーム４１６は、長手状に形成された金属製の板状部材であり、基端部が上記したように、押出アーム取付け部４１２Ｂに回動自在に軸支されている。この押出アーム４１６は、シャッター片４１２と略同一曲率、すなわち仮想円Ｐの円周に略沿う形状に湾曲形成されている。また、この押出アーム４１６は、シャッター片４１２に最も近接する位置に回動されたときに、先端部が押出規制溝４１４のイジェクトアーム側の端部と略同一位置に移動する長さ寸法に形成されている。そして、押出アーム４１６の先端部には、搬送面に対して略直交する回転軸を有するディスク保持ローラ４１６Ａが設けられている。このディスク保持ローラ４１６Ａの外周面は、搬送面と同一面上で凹状に形成され、この凹状部にて搬入された光ディスク１の外周縁を保持する。
【００３３】
また、押出アーム４１６は、内周面側に押出規制ピン４１５が摺接することで、回動状態が変化する。例えば、図２において、アーム本体４１が仮想円Ｐに沿って反時計周りに回転移動すると押出規制ピン４１５が押出規制溝４１４内を移動して押出アーム４１６を仮想円Ｐの中心から離れる外方に移動させる。押出規制ピン４１５が押出規制溝４１４のイジェクトアーム側端部まで移動すると、押出アーム４１６はシャッター片４１２に略当接する位置にまで移動される。この時、ディスク保持ローラ４１６Ａは、光ディスク１の外周縁から離隔される。
【００３４】
さらに、押出アーム４１６の略中心位置には、ばね取付片４１６Ｂがシャッター片４１２に向かって突出形成されている。このばね取付片４１６Ｂには、板ばね取付孔４１６Ｃが形成されており、この板ばね取付孔４１６Ｃに板ばね４１７が取り付けられている。
【００３５】
板ばね４１７は、長手状に形成された板ばね本体４１７Ａと、板ばね本体４１７Ａの一端側に連続して設けられる付勢部４１７Ｂとを備えている。板ばね本体４１７Ａは、ばね取付片４１６Ｂからシャッター片４１２のイジェクトアーム側に延出して配置され、付勢部４１７Ｂが設けられる側とは反対側の他端部がシャッター片４１２の内周面に摺接されている。付勢部４１７Ｂは、板ばね本体４１７Ａの一端部を押出アーム４１６の長手方向に沿って、ディスク保持ローラ４１６Ａ側に折り曲げて形成されている。そして、これらの板ばね本体４１７Ａおよび付勢部４１７Ｂとの連結位置には、ばね取付片４１６Ｂに向かって突出する図示しない突出ピンが形成されており、この突出ピンは板ばね取付孔４１６Ｃに係合されている。
【００３６】
この板ばね４１７により、押出アーム４１６は常時内周側に付勢されている。そして、押出規制ピン４１５が押出規制溝４１４のイジェクトアーム４３側の端部に位置する状態から、アーム本体４１を時計回り方向に回転移動させると、板ばね４１７の付勢力により押出アーム４１６が内周側に押し出される。これにより、押出アーム４１６は、ディスク保持ローラ４１６Ａにて光ディスク１をスリット２１４側に押し出す。
【００３７】
ガイドアーム４２は、仮想円Ｐの円弧に沿った長手状に形成されている。このガイドアーム４２の一端部は、上記したように、ガイド軸支部４１１Ａに回動自在に取り付けられている。このガイドアーム４２は、アーム本体４１の基部４１１と同一平面状に配置される板状のガイドアーム基部４２１を有しており、このガイドアーム基部４２１の外周側端縁には、搬送面に向かって閉塞部としてのガイドアーム側シャッター片４２２が立ち上がって形成されている。
【００３８】
また、このガイドアーム基部４２１の基端部には、アーム本体４１との間にトーションバー４２１Ａが設けられている。これにより、ガイドアーム４２は、常時内周側に付勢されている。
【００３９】
さらに、ガイドアーム基部４２１は、先端部に当接部としてのガイドローラ４２３が設けられている。このガイドローラ４２３は、ガイドアーム基部４２１の板面に略直交する回転軸４２３Ａを有し、ガイドアーム基部４２１に回転自在に設けられている。また、ガイドローラ４２３の外周面には、搬送面と交差する位置に、周方向に沿って光ディスク１の外周縁を保持可能な凹状のディスク保持溝４２３Ｂが形成されている。また、ガイドローラ４２３の回転軸４２３Ａは、外側面に向かって突出形成されており、この突出部が案内部材５０の後述するガイド溝５２に係合されている。
【００４０】
ガイドアーム側シャッター片４２２は、シャッター片４１２と同一の立上寸法に形成されている。すなわち、ガイドアーム側シャッター片４２２は、立上先端縁４２２Ａが搬送面および本体側面との間に配置され、かつターンテーブル２３に光ディスク１を保持させるクランプ時において、台座部２１と立上先端縁４２２Ａとが干渉しない位置に配置されるように立上寸法が設定されている。
【００４１】
イジェクトアーム４３は、ガイドアーム４２と略同一形状に形成され、仮想円Ｐの円弧に沿った長手状に形成されている。このイジェクトアーム４３の一端部は、上記したように、イジェクト軸支部４１１Ｂに回動自在に取り付けられている。また、このイジェクトアーム４３は、アーム本体４１の基部４１１と同一平面状に配置される板状のイジェクトアーム基部４３１を有しており、このイジェクトアーム基部４３１の外周側端縁には、搬送面に向かってイジェクトアーム側シャッター片４３２が立ち上がって形成されている。
【００４２】
イジェクトアーム基部４３１の基端部には、アーム本体４１との間にトーションバー４３１Ａが設けられている。これにより、イジェクトアーム４３は、常時内周側に付勢されている。
【００４３】
さらに、イジェクトアーム基部４３１は、先端部に当接部としてのイジェクトローラ４３３が設けられている。このイジェクトローラ４３３は、イジェクトアーム基部４３１の板面に略直交する回転軸４３３Ａを有し、イジェクトアーム基部４３１に回転自在に設けられている。また、イジェクトローラ４３３の外周面には、搬送面と交差する位置に、周方向に沿って光ディスク１の外周縁を保持可能な凹状のディスク保持溝４３３Ｂが形成されている。また、イジェクトローラ４３３の回転軸４３３Ａは、外側面に向かって突出形成されており、この突出部が案内部材５０の後述するイジェクト溝５３に係合されている。
【００４４】
イジェクトアーム側シャッター片４３２は、シャッター片４１２と同一の立上寸法に形成されている。すなわち、イジェクトアーム側シャッター片４３２は、立上先端縁４３２Ａが搬送面および本体側面との間に配置され、かつターンテーブル２３に光ディスク１を保持させるクランプ時において、台座部２１と立上先端縁４３２Ａとが干渉しない位置に配置されるように立上寸法が設定されている。
【００４５】
そして、上記のような搬送アーム４０は、光ディスク１が挿入されていない初期状態において、ガイドローラ４２３が第一立上部２１１Ａ近傍に、イジェクトローラ４３３が第二立上部２１１Ｂの近傍に配置され、ガイドローラ４２３およびイジェクトローラ４３３を結ぶ線分である駆動範囲Ｍの開口線Ｎがスリット２１４に対向する位置に配置される状態となる。
【００４６】
案内部材５０は、図４に示すように、搬送面に略平行でディスク処理部２０の外側面に取り付けられている板状部材である。この案内部材５０は、搬送面側に突出するガイド部５１と、ガイドローラ４２３の回転軸４２３Ａの突出部が挿通されるガイド溝５２と、イジェクトローラ４３３の回転軸４３３Ａの突出部が挿通されるイジェクト溝５３と、を備えている。
【００４７】
ガイド部５１は、スリット２１４近傍で、かつ第二立上部２１１Ｂの近傍に配置されている。このガイド部５１は、外側面および本体側面を連結する状態に設けられ、搬送面と交差する位置に、搬送経路に沿って形成された搬送ガイド凹部５１１を有している。そして、このガイド部５１は、光ディスク１の挿入時に、搬送ガイド凹部５１１にて光ディスク１の外周縁を保持し、光ディスク１の搬送を案内する。
【００４８】
ガイド溝５２は、スリット２１４の近傍に形成された溝である。このガイド溝５２は、ターンテーブル２３の中心から光ディスク１の径寸法と略同一径寸法となる仮想円Ｐの円周に沿って、スリット２１４の両端間に亘って形成されている。また、ガイド溝５２の第一立上部２１１Ａ側の端部には、外周側の端辺が仮想円Ｐの円周外側に延びて形成され、溝幅寸法が大きくなる幅広溝部５２１が設けられている。この幅広溝部５２１には、光ディスク１が挿入されていない初期状態において、ガイドローラ４２３の回転軸４２３Ａが挿通される。
一方、ガイド溝５２の第二立上部２１１Ｂ側端部には、仮想円Ｐの円周から外方に延出する離隔部としてのガイドローラ離隔溝５２２が設けられている。そして、このガイドローラ離隔溝５２２には、光ディスク１がターンテーブル２３にて保持されたディスク処理可能状態において、ガイドローラ４２３の回転軸４２３Ａが挿通される。
【００４９】
イジェクト溝５３は、仮想円Ｐの中心点に対してガイド溝５２を点対称となる位置に形成された溝である。このイジェクト溝５３は、仮想円Ｐの円周に沿って形成されている。また、イジェクト溝５３は、第二立上部２１１Ｂの近傍の、仮想円Ｐの中心に対して幅広溝部５２１と略点対称となる位置に、仮想円Ｐの略中心に向かって延出するディスク排出部５３１が形成されている。このディスク排出部５３１には、光ディスク１が挿入されていない状態において、イジェクトローラ４３３の回転軸４３３Ａが挿通される。
【００５０】
一方、イジェクト溝５３の、仮想円Ｐの中心に対してガイドローラ離隔溝５２２と略点対称となる位置には、仮想円Ｐの円周から外方に延出する離隔部としてのイジェクトローラ離隔溝５３２が形成されている。そして、このイジェクトローラ離隔溝５３２には、光ディスク１がターンテーブル２３にて保持されたディスク処理可能状態において、イジェクトローラ４３３の回転軸４３３Ａが挿通される。
【００５１】
駆動ギア６０は、図示しない駆動モータに、例えば図示しない駆動伝達ギアを介して接続され、駆動モータからの駆動力により回転駆動する。また、駆動ギア６０は、前記したように、アーム本体４１の基部４１１の内周端縁に形成されたラック４１３に噛合されており、駆動モータからの駆動力をアーム本体４１に伝達して回転移動させる。
【００５２】
また、ディスク処理部２００の内部には、光ディスク１の搬送状態を検出する複数の図示しない検出センサを有するセンサ部が設けられている。このセンサ部は、例えば光ディスク１がスリット２１４から挿入されたことを検出する検出センサ、光ディスク１の半円以上が駆動範囲Ｍ内に挿入されたこと検出する検出センサ、光ディスク１がターンテーブル２３の軸上に移動されたことを検出する検出センサ、光ディスク１の半円以上が駆動範囲Ｍ外に排出されたころを検出する検出センサなどを備えている。また、センサ部は、制御回路部に電気的に接続されており、各検出センサにおける検出信号を制御回路部に出力する。
【００５３】
〔ディスクカメラレコーダの動作〕
次に、上記のようなディスクカメラレコーダ１００のディスク処理部２００におけるディスク搬送動作について、図面に基づいて説明する。図５は、光ディスク１の搬入初期状態におけるディスクカメラレコーダ１００を模式的に示す全体斜視図である。図６は、図５におけるディスク処理部２００の内部を模式的に示す平面図である。図７は、図６において光ディスク１をさらに挿入した際の光ディスク１の搬送途中におけるディスク処理部２００の内部を模式的に示す平面図である。図８は、図７におけるディスク処理部の状態からさらに光ディスクを挿入した状態におけるディスク処理部２００の内部を模式的に示す平面図である。図９は、クランプ可能状態におけるディスク処理部２００の内部を模式的に示す平面図である。図１０は、ディスク処理可能状態におけるディスク処理部２００の内部を模式的に示す平面図である。図１１は、図１０におけるディスクカメラレコーダ１００の全体斜視図である。図１２は、光ディスク１の排出が完了した搬出完了状態におけるディスク処理部２００の内部を模式的に示す平面図である。なお、図１ないし図４と同様、図５ないし図１２においても、説明の都合上、各図面は簡略化した図面を用いている。
【００５４】
（光ディスクの搬入動作）
先ず、ディスク搬送動作における光ディスク１をディスク処理部２００の内部に挿入する搬入動作について説明する。
光ディスク１の搬入動作では、先ず、図５に示すように光ディスク１がスリット２１４からディスク処理部２００の内部に挿入されると、図６に示すように、光ディスク１の外周縁がガイドローラ４２３およびイジェクトローラ４３３に当接される。この時、光ディスク１は、外周縁がガイドローラ４２３およびイジェクトローラ４３３のディスク保持溝４２３Ｂ，４３３Ｂに保持された状態となる。そして、光ディスク１をディスク処理部２００の内部にさらに挿入すると、図７に示すように、光ディスク１の外周縁がガイドローラ４２３およびイジェクトローラ４３３を仮想円Ｐの径方向の外側に押し出す。これにより、ガイドローラ４２３の回転軸４２３Ａは、ガイド溝５２の幅広溝部５２１の外周端辺側に移動し、ガイドアーム４２が仮想円Ｐの外方に回動する。また、イジェクトローラ４３３の回転軸４３３Ａは、イジェクト溝５３のディスク排出部５３１内を仮想円Ｐの外周方向に向かって移動する。この時、ガイドローラ４２３およびイジェクトローラ４３３を結ぶ駆動範囲Ｍの開口線Ｎは、光ディスク１の最大径部以上の長さ寸法となる。したがって、これらのガイドローラ４２３およびイジェクトローラ４３３の間を通って、光ディスク１の半円以上を駆動範囲Ｍ内に挿入させることが可能となる。
【００５５】
そして、光ディスク１がディスク処理部２００の内部にさらに挿入され、光ディスク１の半円以上が駆動範囲Ｍ内に移動すると、ガイドアーム４２は再び仮想円Ｐの内方に向かって回動する。また、この時、光ディスク１の挿入方向の一端部は押出アーム４１６のディスク保持ローラ４１６Ａに当接され、ガイドローラ４２３、イジェクトローラ４３３、およびディスク保持ローラ４１６Ａにて３点保持される。さらに、センサ部は、光ディスク１の半円以上が駆動範囲Ｍ内に移動したことを検出し、制御回路部に検出信号を送信する。制御回路部は、センサ部から送信される前記検出信号を認識すると、駆動モータを駆動させる。これにより、駆動ギア６０が回転駆動し、図８に示すように、搬送アーム４０のアーム本体４１が仮想円Ｐの円周に沿って反時計周り方向に回転駆動する。
【００５６】
そして、この搬送アーム４０の移動により、ガイドローラ４２３は、ガイド溝５２内を反時計周り方向に移動する。この時、ガイドアーム４２のガイドローラ４２３は、光ディスク１の外周縁を仮想円Ｐの接線方向に付勢する。また、このガイドローラ４２３の付勢方向には、ガイド部５１が設けられている。したがって、光ディスク１は、外周縁がガイドローラ４２３により仮想円Ｐの接線方向に付勢されると、ガイド部５１により案内される搬送方向、すなわち駆動範囲Ｍの内部に向かう方向に押し出される。これにより、光ディスク１は、アーム本体４１、ガイドアーム４２、およびイジェクトアーム４３にて抱え込まれた状態で仮想円Ｐの内部に移動させられる。
【００５７】
この後、図９に示すように、光ディスク１がターンテーブル２３の軸上まで移動してクランプ可能状態となると、制御回路部は、ディスク情報処理部２０を揺動させて、ターンテーブル２３に光ディスク１を保持させる。この時、搬送アーム４０は、図１０に示すように、さらに反時計周りに回転移動し、光ディスク１がターンテーブル２３に保持されると同時に、回転軸４２３Ａ，４３３Ａがそれぞれガイドローラ離隔溝５２２およびイジェクトローラ離隔溝５３２に沿って移動する。そして、光ディスク１の外周縁からガイドローラ４２３およびイジェクトローラ４３３が離隔される。また、搬送アーム４０が回動すると、押出アーム４１６は、押出規制ピン４１５に押し出されて仮想円Ｐの外方に回動する。そして、ターンテーブル２３に光ディスク１が保持される状態において、押出アーム４１６のディスク保持ローラ４１６Ａは、光ディスク１の外周縁から離隔される。これにより、光ディスク１はディスク情報処理部２０にて情報処理可能なディスク処理可能状態となる。
【００５８】
また、このディスク処理可能状態では、ガイドアーム４２およびアーム本体４１は、光ディスク１とスリット１４との間まで移動する。このため、図１１に示すように、スリット２１４は、シャッター片４１２およびガイドアーム側シャッター片４２２により閉塞された状態となる。
【００５９】
（光ディスクの排出動作）
次に光ディスク１の排出動作について説明する。
制御回路部は、例えばディスクカメラレコーダ１００のコントローラ部１４０の操作により、光ディスク１を排出する旨の入力信号を認識すると、駆動モータを駆動させる。そして、駆動ギア６０から伝達される駆動力により搬送アーム４０は時計回り方向に回転移動する。これにより、スリット２１４を閉塞していたシャッター片４１２およびガイドアーム側シャッター片４２２も時計回り方向に回転移動し、スリット２１４が開口状態となる。
【００６０】
そして、回転軸４２３Ａ，４３３Ａがガイドローラ離隔溝５２２およびイジェクトローラ離隔溝５３２に沿って移動し、ガイドローラ４２３およびイジェクトアーム４３が光ディスク１の外周縁に当接する。また、押出アーム４１６が板ばね４１７により仮想円Ｐの内方に向かって付勢され、ディスク保持ローラ４１６Ａも光ディスク１の外周縁に当接する。これにより、光ディスク１は、ガイドローラ４２３、イジェクトローラ４３３、およびディスク保持ローラ４１６Ａにより３点保持される。
【００６１】
この後、さらに搬送アーム４０が時計回り方向に回転移動すると、押出規制ピン４１５による押出アーム４１６の規制が解除され、板ばね４１７の付勢力により押出アーム４１６が光ディスク１をさらに駆動範囲Ｍ外に押し出そうとする。
【００６２】
そして、搬送アーム４０が図１２に示すように、初期状態まで回転移動し、ガイドローラ４２３の回転軸４２３Ａがガイド溝５２の幅広溝部５２１まで移動すると、この押出アーム４１６の付勢力により、光ディスク１がガイドローラ４２３を幅広溝部５２１の外方に押し出す。これにより、開口線Ｎが光ディスク１の直径以上に広がり、光ディスク１が駆動範囲Ｍから排出される。さらに、トーションバー４２１Ａ，４３１Ａの付勢力によりガイドアーム４２、イジェクトアーム４３が仮想円Ｐの内方側に回動すると、光ディスク１は、ガイドローラ４２３およびイジェクトローラ４３３により外周縁が押し出され、スリット２１４からディスク処理部２００の外部に排出される。
【００６３】
〔ディスク装置の作用効果〕
上述したように、上記一実施の形態では、ディスク処理部２００は、仮想円Ｐに略沿って円弧状に形成された長手状のアーム本体４１と、このアーム本体４１の一端部に回動自在に設けられて、先端部に光ディスク１の外周縁に当接するガイドローラ４２３を有したガイドアーム４２と、アーム本体４１の他端部に回動自在に設けられて、先端部に光ディスク１の外周縁に当接するイジェクトローラ４３３を有したイジェクトアーム４３と、を備えた搬送アーム４０を備えている。そして、駆動ギア６０でこの搬送アーム４０を回転移動させることで、ガイドアーム４２およびイジェクトアーム４３で光ディスク１を抱え込み、駆動範囲Ｍ内に移動させている。このため、従来のような複数のアーム部材を連動させるディスク搬送機構を必要とせず、簡単な構成で光ディスク１をディスク処理部２００の内部に搬送させることができる。したがって、部品点数も従来に比べて少なくできる。よって、これらの部材を配置するためのスペースも小さくでき、ディスク処理部２００およびディスクカメラレコーダ１００の小型化および軽量化を図ることができる。
【００６４】
また、搬送アーム４０は、仮想円Ｐの円弧上を回転移動させている。このため、搬送アーム４０の移動スペースを小さくできる。したがって、さらにディスク処理部２００およびディスクカメラレコーダ１００の小型化を促進できる。
【００６５】
さらに、案内部材５０には、光ディスク１の搬送を案内するガイド部５１が設けられている。このため、光ディスク１の搬送経路がずれることがなく、光ディスク１を確実に駆動範囲Ｍ内に移動させて、ターンテーブル２３の軸心上に搬送することができる。
【００６６】
そして、この案内部５１は、スリット２１４の第二立上部２１１Ｂ近傍で、ガイドローラ４２３の移動軌跡延長上に形成されている。このため、ガイドローラ４２３にて付勢される光ディスク１の搬送方向を確実に規制することができる。したがって、光ディスク１が抜け落ちや、搬送経路とは異なる方向への搬送を防止することができ、確実に光ディスク１をディスク処理部２００の内部の所定位置に搬送することができる。
【００６７】
さらには、案内部材５０は、ガイドローラ４２３およびイジェクトアーム４３を案内するガイド溝５２およびイジェクト溝５３を備えている。このため、ガイドローラ４２３およびイジェクトローラ４３３により光ディスク１が確実に保持され、また光ディスク１を確実に駆動範囲Ｍ内に移動させることができる。
【００６８】
そして、これらのガイド溝５２およびイジェクト溝５３には、光ディスク１がターンテーブル２３にて保持されてディスク処理可能状態となった際に、ガイドローラ４２３およびイジェクトローラ４３３を光ディスク１の外周縁から離隔させるガイドローラ離隔溝５２２およびイジェクトローラ離隔溝５３２が形成されている。このため、ディスク処理可能状態において、ガイドローラ４２３およびイジェクトローラ４３３を光ディスク１の外周縁から離隔させることができるので、光ディスク１をターンテーブル２３上で良好に回転駆動させることができる。
【００６９】
また、アーム本体４１およびガイドアーム４２の外周縁には、シャッター片４１２およびガイドアーム側シャッター片４２２が立ち上がり形成されている。このため、ディスク処理可能状態において、これらのシャッター片４１２およびガイドアーム側シャッター片４２２でスリット２１４を閉塞することができる。しがたって、光ディスク１がディスク処理部２００内に挿入されている状態で、スリット２１４から別の光ディスク１を入れてしまうなどの操作ミスを防止でき、またスリット２１４からの異物の進入も防止できる。このため、ディスク処理部２００の動作不良などを防止することができる。
さらに、シャッター片４１２およびガイドアーム側シャッター片４２２をアーム本体４１およびガイドアーム４２の外周縁に設けたので、新たにスリット２１４を閉塞する蓋部材を設ける必要がなく、構成を簡単にすることができる。
【００７０】
また、アーム本体４１の内周縁には、ラック４１３が形成されており、駆動ギア６０をこのラック４１３に噛合させている。このため、この駆動ギア６０を回転駆動させるだけで容易に搬送アーム４０を仮想円Ｐの円周に沿って回転移動させることができる。したがって、簡単な駆動系で搬送アーム４０を駆動させることができ、より構成を簡単にすることができる。
【００７１】
さらに、ガイドローラ４２３およびイジェクトローラ４３３は、回転軸４２３Ａ，４３３Ａを中心として回転自在に設けられている。このため、光ディスク１の外周縁に回転しながら当接することができ、光ディスク１を滑らかに搬送することができる。
【００７２】
そして、スリット２１４は、立上部２１１に連続形成される湾曲部２１３に沿って略円弧状に形成されている。このため、スリット２１４は、搬送アーム４０を仮想円Ｐの円周上を回転移動させるだけでシャッター片４１２およびガイドアーム側シャッター片４２２にて容易に閉塞することができる。また、スリット２１４が形成される湾曲部２１３が湾曲して形成されているため、従来の矩形状のディスク装置に比べて小型に形成することができる。したがって、ディスク処理部２００およびディスクカメラレコーダ１００の小型化をより一層促進することができる。
【００７３】
〔実施形態の変形〕
なお、本発明は、上述した一実施の形態に限定されるものではなく、本発明の目的を達成できる範囲で以下に示される変形をも含むものである。
【００７４】
すなわち、上記実施の形態では、ディスクカメラレコーダ１００に本発明の搬送装置およびディスク装置を適用したが、これに限らず、例えばパーソナルコンピュータなどに取り付けられるディスクドライブや、車載用のディスク装置などにも適用することができる。
【００７５】
また、シャッター片４１２が基部４１１の外周縁に沿って形成され、イジェクトアーム基部４３１の外周縁にイジェクトアーム側シャッター片４３２が形成されている例を示したが、基部４１１のイジェクトアーム４３側の一部およびイジェクトアーム基部４３１の外周縁にはシャッター片４１２が形成されない構成としてもよい。すなわち、光ディスク１がクランプ可能位置に移動したクランプ可能状態において、ディスク情報処理部２０の搬送面側にシャッター片４１２が位置しないように構成してもよく、これによりディスク情報処理部２０とシャッター片４１２との干渉をより確実に防止することができる。
【００７６】
さらに、ディスク情報処理部２０が本体側面に揺動可能に設けられる例を示したが、ターンテーブル２３のみが外側面に向かって移動可能となる構成としてもよい。この構成では、台座部２１や情報処理部２４が搬送面側に移動しないため、搬送アーム４０、特にシャッター片４１２，４２２，４３２との干渉をより確実に防止することができる。
【００７７】
そして、上記実施の形態では、搬送アーム４０を仮想円Ｐの円周に沿って回転移動させる構成としたが、これに限らない。例えば、搬送アーム４０を揺動、転動などさせることで光ディスク１を搬送アーム４０にて抱え込んだ状態で搬送する構成としてもよい。
【００７８】
また、搬送アーム４０を回転移動させる移動手段は、駆動モータおよび駆動ギア６０に限られない。例えば、外側面に回転駆動可能なピンを設け、このピンをアーム本体４１に係合させる構成などとしてもよい。
【００７９】
そして、光ディスクを排出する機構として、押出アーム４１６を板ばね４１７の付勢力により駆動範囲Ｍ側に回動させ、光ディスク１を押し出す構成を例示したが、これに限定されない。例えば、アーム本体４１のシャッター片４１２に内方に突出する板ばねのみを設ける構成としてもよい。この場合でも、光ディスク１の挿入時、押出規制ピン４１５によりシャッター片４１２側に移動させることで、光ディスク１の挿入を阻害することなく、光ディスク１の搬出時にのみ光ディスク１を押し出すことができる。
また、アーム本体４１が２つ以上のアーム部から成り、アーム本体４１の略中心で回動可能に連結されている構成としてもよい。このような構成では、光ディスク１の排出時に、アーム部の連結部が駆動範囲Ｍ側に迫り出して光ディスク１を押し出すことができる。
さらに、ガイド溝５２の幅広溝部５２１がさらに第一立上部２１１Ａ側に延出形成され、駆動ギア６０が搬送経路に沿って移動可能に設けられた構成としてもよい。この構成では、ガイドローラ４２３が幅広溝部５２１からさらに第一立上部２１１Ａに近接する位置に移動することで、アーム本体４１がスリット２１４側に押し出される。これによりアーム本体４１で光ディスク１をスリット２１４から排出させることが可能となる。
【００８０】
そして、上記実施の形態において、案内部材５０にガイド部５１を設ける構成を示したが、ガイド部５１が設けられない構成としてもよい。このような構成では、ディスク処理部２００の構成がより簡単になり、部品点数も減らすことができる。また、スリット２１４の第二立上部２１１Ｂ側の開口端を、例えば搬送経路に沿って延出させるなどすることで、この開口端にて光ディスク１の搬送を案内する構成としてもよい。
【００８１】
また、上記実施の形態では、初期状態でガイドアーム４２が第一立上部２１１Ａの近傍、イジェクトアーム４３が第二立上部２１１Ｂの近傍に設けられている構成を示したが、これに限定されない。例えばガイドアーム４２およびイジェクトアーム４３の位置が逆であってもよい。この場合、ガイド溝５２およびイジェクト溝５３も逆に形成され、光ディスク１の挿入時に搬送アーム４０は時計周り方向に回転移動する。
【００８２】
その他、本発明の実施の際の具体的な構造および手順は、本発明の目的を達成できる範囲で他の構造などに適宜変更できる。
【００８３】
〔実施の形態の効果〕
上述したように、上記一実施の形態では、ディスク処理部２００は、仮想円Ｐに略沿って円弧状に形成された長手状のアーム本体４１と、このアーム本体４１の一端部に回動自在に設けられて、先端部に光ディスク１の外周縁に当接するガイドローラ４２３を有したガイドアーム４２と、アーム本体４１の他端部に回動自在に設けられて、先端部に光ディスク１の外周縁に当接するイジェクトローラ４３３を有したイジェクトアーム４３と、を備えた搬送アーム４０を備えている。そして、駆動ギア６０でこの搬送アーム４０を回転移動させることで、ガイドアーム４２およびイジェクトアーム４３で光ディスク１を抱え込み、駆動範囲Ｍ内に移動させている。このため、簡単な構成で光ディスク１をディスク処理部２００の内部に搬送させることができ、部品点数も従来に比べて少なくできる。よって、これらの部材を配置するためのスペースも小さくでき、ディスク処理部２００およびディスクカメラレコーダ１００の小型化および軽量化を図ることができる。
【図面の簡単な説明】
【００８４】
【図１】本発明に係る一実施の形態のディスクカメラレコーダの全体の概略を模式的に示す図である。
【図２】ディスクカメラレコーダ内部のディスク設置部の内部構成を示す平面図である。
【図３】アーム本体の概略構成を示す斜視図である。
【図４】案内部材の概略構成を示す平面図である。
【図５】光ディスクの搬入初期状態におけるディスクカメラレコーダの概略を模式的に示す全体斜視図である。
【図６】図５におけるディスク処理部の内部を模式的に示す平面図である。
【図７】光ディスクの搬送途中におけるディスク処理部の内部を模式的に示す平面図である。
【図８】図７の状態からさらに光ディスクを内部に挿入した状態におけるディスク処理部の内部を模式的に示す平面図である。
【図９】クランプ可能状態におけるディスク処理部の内部を模式的に示す平面図である。
【図１０】ディスク処理可能状態におけるディスク処理部の内部を模式的に示す平面図である。
【図１１】図１０におけるディスクカメラレコーダの全体斜視図である。
【図１２】光ディスク１の排出が完了した搬出完了状態のおけるディスク処理部の内部を模式的に示す平面図である。
【符号の説明】
【００８５】
１    …記録媒体としての光ディスク
２０  …ディスク情報処理部
２３  …保持部としてのターンテーブル
２４  …情報処理部
３０  …搬送装置としてのディスク搬送機構
４１  …本体部としてのアーム本体
４２  …アーム部としてのガイドアーム
４３  …アーム部としてのイジェクトアーム
５１  …案内部としてのガイド部
５２  …移動規制溝としてのガイド溝
５３  …移動規制溝としてのイジェクト溝
６０  …移動手段、およびピニオンとしての駆動ギア
１００…ディスク装置としてのディスクカメラレコーダ
１０１…筐体としてのケース体
２１４…挿排口としてのスリット
４１２…閉塞部としてのシャッター片
４１３…ラック
４２２…閉塞部としてのガイドアーム側シャッター片
４２３…当接部としてのガイドローラ
４３３…当接部としてのイジェクトローラ
４２３Ａ，４３３Ａ…回転軸
５２２…離隔部としてのガイドローラ離隔溝
５３２…離隔部としてのイジェクトローラ離隔溝
Ｍ    …駆動範囲
【図１】
2007188557.tif 000003
【図２】
2007188557.tif 000004
【図３】
2007188557.tif 000005
【図４】
2007188557.tif 000006
【図５】
2007188557.tif 000007
【図６】
2007188557.tif 000008
【図７】
2007188557.tif 000009
【図８】
2007188557.tif 000010
【図９】
2007188557.tif 000011
【図１０】
2007188557.tif 000012
【図１１】
2007188557.tif 000013
【図１２】
2007188557.tif 000014